(57)【要約】【課題】  瞬間式熱交換器のヒーター周囲における流水速度分布の一様化を図り、ヒーター表面の局所的温度変化の発生を抑制し、局所的にヒーター内の発熱線が過熱されてしまったり、局所的熱勾配による発熱線へのストレスが発生してしまうことによって生じる発熱線の断線を防ぐことによって、耐久信頼性の高い瞬間式熱交換器を提供することである。【解決手段】  使用するときにのみ流れる水を瞬間的に加熱し、温水を連続して供給することができる瞬間式熱交換において、水を取り込む入水口５５と、取り込んだ流水を加熱するシーズヒーター４１と、入水口５５に接続し、シーズヒーター４１で発生した熱を流水に伝達する熱交換流路５９と、熱交換流路内の流速分布を一様にする整流手段５８と、加熱された温水を吐出する出水口５１とを備えたことにより、熱交換流路断面における流水速度分布の一様化を図ることを可能とした。【選択図】  図１
2005121263.tif 000002
【特許請求の範囲】
【請求項１】
使用するときに流れる水を瞬間的に加熱し、温水を連続して供給する瞬間式熱交換器において、水を取り込む入水口と、取り込んだ流水を加熱するシーズヒーターと、前記入水口に接続され、前記シーズヒーターで発生した熱を流水に伝達する熱交換流路と、該熱交換流路内の流速分布を一様にする整流手段と、加熱された温水を吐出する出水口とを備えたことを特徴とする瞬間式熱交換器。
【請求項２】
請求項１の瞬間式熱交換器において、
前記整流手段は、前記シーズヒーターの発熱部の上流側に設置されていることを特徴とする瞬間式熱交換器。
【請求項３】
請求項１または請求項２記載の瞬間式熱交換器において、
前記熱交換流路は直線的な形状であることを特徴とする瞬間式熱交換器。
【請求項４】
請求項１ないし請求項３のいずれかに記載の瞬間式熱交換器において、
前記熱交換流路の断面積が一様であることを特徴とする瞬間式熱交換器。
【請求項５】
請求項１ないし請求項４のいずれかに記載の瞬間式熱交換器において、
前記熱交換流路と前記シーズヒーターは同軸上に配置されていることを特徴とする瞬間式熱交換器。
【請求項６】
請求項１ないし請求項５のいずれかに記載の瞬間式熱交換器において、
前記整流手段は前記熱交換流路断面における流速分布緩衝手段であることを特徴とする瞬間式熱交換器。
【請求項７】
請求項６に記載の瞬間式熱交換器において、
前記流速分布緩衝手段は、複数の絞り流路で構成されていることを特徴とした瞬間式熱交換器。
【請求項８】
請求項１ないし請求項５のいずれかに記載の瞬間式熱交換器において、
前記整流手段は、前記入水口と前記熱交換流路の間に設けられた圧力緩衝手段であることを特徴とする瞬間式熱交換器。
【請求項９】
請求項１ないし請求項５のいずれかに記載の瞬間式熱交換器において、
前記整流手段は、前記入水口を、前記熱交換流路内への流入流速が相殺されるよう複数配置した流入流速相殺手段であることを特徴とする瞬間式熱交換器。
【請求項１０】
請求項１ないし請求項５のいずれかに記載の瞬間式熱交換器において、
前記整流手段は、前記流速分布緩衝手段、圧力緩衝手段、流入流速相殺手段の何れか複数の組み合わせであることを特徴とする瞬間式熱交換器。
【請求項１１】
請求項５に記載の瞬間式熱交換器において、
前記整流手段は、前記入水口の中心軸を、前記熱交換流路の中心軸に対してねじれの位置に配置し、前記熱交換流路内の水の流れが螺旋状になるように構成した、旋回流入手段であることを特徴とする瞬間式熱交換器。
【発明の詳細な説明】
【技術分野】
【０００１】
本発明は、使用するときにのみ流れる水を瞬間的に加熱し、温水を連続して供給する瞬間式熱交換器に係るものである。
【背景技術】
【０００２】
従来の、水を使用するときにのみ瞬間的に加熱し、温水を連続して供給することができる瞬間式熱交換器として、図７，８に示すようなものが提案されている。（特許文献１参照）本熱交換器を適用した人体洗浄装置の構成としては、図８のようになり、水道本管から分岐された水道水（冷水）を本体ケーシング１０１内に配設される水閉止弁１０２を開閉することにより人体洗浄装置内に引き込み、洗浄水加熱手段１０３に備えられたシーズヒーター（図示せず）で瞬間的に加熱し、その加熱された洗浄水を洗浄ノズル１０９より人体局部に向けて噴出させ、人体局部を洗浄する。
洗浄水加熱手段１０３での、洗浄水の流れと加熱の状況は、図７に示すように、水閉止弁１０２から引き込まれた洗浄水は、入水口１２４からシーズヒーター１２３が設置されたパイプ状ケース１２１に流れ込み、流路１２２内を流れながらシーズヒーター１２３によって加熱される。そして、流路１２２内を流れながら加熱された洗浄水は、出水口１２５から洗浄ノズルへと供給される。なお、符号１２６はパイプ状ケースのフランジ，１２７はシーズヒーターのフランジ、１２８は両フランジを結合する止具、１２９はパッキンである。
洗浄水を予め貯湯タンク内で温め、貯留しておく貯湯式熱交換器を用いた人体洗浄装置では、常に洗浄水を保温しておかないといけないため、装置の非使用時にも電力を消費してしまうのに対して、本装置のように、装置使用時にのみ洗浄水を瞬間的に加熱する瞬間式熱交換器を用いた人体洗浄装置では、装置使用待機時の洗浄水保温の必要がないため、貯湯式に比べて消費電力が少なくて済むという利点があった。
その一方、瞬間式の熱交換器は、洗浄水を必要な分だけ瞬間的に加熱する必要があるため、貯湯式のヒーターに比べて一般的に瞬間消費電力が高く、洗浄水加熱時のヒーター表面温度は貯湯式のものに比べて高温となり、またそのヒーター表面では常に流れる水によって熱交換が行われている。そのため、ヒーター周囲の流水の速度分布が均一でない場合は、流速の遅い部分では充分な熱交換が行われず、ヒーター表面に局所的温度変化が生じてしまう。その結果、局所的にヒーター内の発熱線が過熱されてしまったり、局所的熱勾配による発熱線へのストレスが発生してしまい、最終的には発熱線の断線を招いてしまうという問題があった。
【特許文献１】特開２００１−３３６２０３（第４頁、第２，３図）
【発明の開示】
【発明が解決しようとする課題】
【０００３】
本発明は、上記問題を解決するためになされたもので、本発明の課題はヒーター周囲の流水速度分布の均一化を図り、ヒーター表面の局所的温度変化の発生を抑制し、耐久信頼性の高い瞬間式熱交換器を提供することである
【課題を解決するための手段】
【０００４】
かかる課題を解決するために、第１の発明における瞬間式熱交換器では、使用するときに流れる水を瞬間的に加熱し、温水を連続して供給する瞬間式熱交換器において、水を取り込む入水口と、取り込んだ流水を加熱するシーズヒーターと、前記入水口に接続され、前記シーズヒーターで発生した熱を流水に伝達する熱交換流路と、該熱交換流路内の流速分布を一様にする整流手段と、加熱された温水を吐出する出水口とを備えたことを特徴とした。
そうすることで、シーズヒーターから水への熱伝達がシーズヒーター周りで均一に行えるため、従来、熱交換流路断面における流速分布の不均一によってシーズヒーター表面に生じていた局所的な温度変化を抑制できるようになった。そのためシーズヒーターの発熱線が局所的に過熱されたり、局所的熱勾配によるストレスが発生してしまうことがなくなるため、ヒーター寿命の低下を防ぐことが可能となる。また、温水の局所的温度変化をなくすことができるため、熱交換器の下流に水温検知手段を設けてシーズヒーターへの電気出力をフィードバック制御する際の水温制御性や、熱交換器から吐出される水温の安定性を向上することも可能となる。
【０００５】
また、第２の発明における瞬間式熱交換器では、前記整流手段は、前記シーズヒーターの発熱部の上流側に設置されていることを特徴とした。
そうすることで、確実に整流手段下流側の熱交換流路断面における流速分布を一様にすることが可能となる。また、熱交換流路の上流側で整流するため、熱交換流路全域にわたって整流手段を設ける必要がなく、熱交換流路内を流れる水の流動抵抗を極力少なく構成することができる。更に、整流手段はヒーターの非発熱部に設置した場合は熱による影響を受けないので、耐熱性を必要とする材料選定が不要となる。
【０００６】
第３の発明における瞬間式熱交換器では、前記熱交換流路は直線的な形状であることを特徴とした。
そうすることで、熱交換流路内において流れ方向が直線的であるので、曲管やエルボといった流路形状に起因する熱交換流路断面における流速分布の局所的変化が生じないため、熱交換流路内全域にわたって、整流手段によって実現された熱交換流路断面における流速分布を一様な状態に維持することができる。
【０００７】
第４の発明における瞬間式熱交換器では、前記熱交換流路の断面積が一様であることを特徴とした。
そうすることで、熱交換流路内における水の流路区を一定に保つことができ、熱交換流路内全域にわたって、整流手段によって実現された熱交換流路断面における流速分布を一様な状態に維持することができる。
【０００８】
第５の発明における瞬間式熱交換器では、熱交換流路と前記シーズヒーターは同軸上に配置されていることを特徴とした。
そうすることで、熱交換流路断面のヒーター外周の各点において、そこから熱を受ける洗浄水の容量を均一化することができる。そのためヒーター外周の各点における水温上昇が均一化され、ヒーター表面の局所的温度変化を抑制することができる。
【０００９】
第６の発明における瞬間式熱交換器では、前記整流手段は前記熱交換流路断面における流速分布緩衝手段であることを特徴とした。
そうすることで、熱交換流路断面の流速分布の一様化を図るために熱交換流路を流れている水に直接作用するため、確実に流速分布を一様にすることができる。
【００１０】
第７の発明における瞬間式熱交換器では、前記流速分布緩衝手段は、複数の絞り流路で構成されていることを特徴とした。
そうすることで、熱交換流路断面における流速分布の一様化を簡便な構成にて実現することができる。
【００１１】
第８の発明における瞬間式熱交換器では、前記整流手段は、前記入水口と前記熱交換流路の間に設けられた圧力緩衝手段であることを特徴とした。
圧力緩衝手段にて入水口から熱交換流路内への流入流速エネルギーを、一旦圧力エネルギーに変換してから再び流速エネルギーとして熱交換流路に流入させることで、熱交換流路断面における流速分布の一様化を図ることができる。
【００１２】
第９の発明における瞬間式熱交換器では、前記整流手段は、前記入水口を、前記熱交換流路内への流入流速が相殺されるよう複数配置した流入流速相殺手段であることを特徴とした。
そうすることで、熱交換流路への流入流速成分をなくしたうえで、熱交換流路へと水を流すようになるため、熱交換流路断面における流速分布の一様化を図ることができる。
【００１３】
第１０の発明における瞬間式熱交換器では、前記整流手段は、前記流速分布緩衝手段、圧力緩衝手段、流入流速相殺手段の何れか複数の組み合わせであることを特徴とした。
整流手段を複数組み合わせて設けることにより、より一層整流効果を高めることができる。
【００１４】
第１１の発明における瞬間式熱交換器では、前記整流手段は、前記入水口の中心軸を、前記熱交換流路の中心軸に対してねじれの位置に配置し、前記熱交換流路内の水の流れが螺旋状になるように構成した、旋回流入手段であることを特徴とした。
そうすることで、熱交換流路内に流入する水は、ヒーターの中心軸周りに旋回流を起こしながら熱交換流路内を流れる。そのため特に新たな構成部材を必要とすることなく、熱交換流路断面における流速分布を一様にできる。
【発明の効果】
【００１５】
以上のように、本発明によれば、瞬間式熱交換器内の水の流れを一様化することによって、ヒーター周りの流速分布の偏りが無くなり、熱伝達が均一に行えるので、ヒーター周りの局所的な温度変化の発生を抑えることができる。それにより、局所的にヒーター内の発熱線が過熱されたり、熱勾配により発熱線への局所的なストレスがかかることで発生してしまう発熱線の断線を防げるため、ヒーターの耐久信頼性が向上する。また熱交換器から吐出される温水の局所的温度変化も抑制されるため、洗浄水温制御性をより向上させ、温度の均一で安定した温水を提供することが可能となる。
【発明を実施するための最良の形態】
【００１６】
以下、本発明を実施するための最良の形態について図面に基づき説明する。
本発明における実施の形態による瞬間式熱交換器の構造断面図を図１に、その瞬間式熱交換器を適用した人体洗浄装置の水路図を図２に示す。図２において、洗浄水を供給する給水配管１１には、上流側から順に、圧力調整弁１２、電磁弁１３、熱交換器１４が接続されている。また熱交換器１４の上流側には、熱交換器１４に供給される洗浄水の温度を検知する冷水サーミスタ２３が設けられている。熱交換器１４の出口部には、バキュームブレーカ３３が接続されており、バキュームブレーカ３３の下流は安全弁１５において二方に分岐し、一方は余剰の水を便器内に直接排出するための捨水配管１６へ、他方は流路切替兼流量調整弁１８が接続されている。流路切替兼流量調整弁１８の下流は二方に分岐し、一方は捨水路１９へ、他方はアキュームレータ２９を介して脈動発生装置１７に接続されている。脈動発生装置１７の下流には、流路切替弁２０を介して洗浄水を人体へ噴出する洗浄ノズル２１へ接続されている。なおこの例では、流路切替弁２０は洗浄ノズル２１と一体的に構成されている。
【００１７】
人体洗浄装置に備えられた洗浄ボタン（図示せず）が押されると、電磁弁１３が開弁し、洗浄ノズル２１は装置内に収納された状態で流路への通水が開始される。通水を開始した洗浄水は、圧力調整弁１２によって所定の圧力まで減圧されるため、熱交換器１４に供給される洗浄水の給水圧力は常に一定に保たれる。熱交換器１４に供給された洗浄水は、所定の温度まで瞬間的に加熱され、流路切替兼流量調整弁１８によって所定の流量に調整されたうえで、洗浄ノズルの全てのノズル流路２５，２６，２７から吐出され、流路内の予熱を行う。流路内の予熱が充分に行われたら、流路切替兼流量調整弁１８によって捨水路１９への通水に切り替えられたうえで洗浄ノズル２１が所定の洗浄位置まで進出する。捨水路１９はノズル装置３５内に設けられたノズル洗浄室（図示せず）に接続されており、洗浄ノズル２１は胴体を洗浄されながら伸出する。また、洗浄ノズル２１の進出中には、ノズル内流路が流路切替弁２０によって所定の位置に切り替えられる。洗浄ノズル２１が所定の位置まで進出を完了すると、流路切替兼流量調整弁１８によって、洗浄ノズル２１側へと通水が切り替えられ、所定のノズル流路から、所定の流量にて洗浄水が吐出する。
【００１８】
瞬間加熱式の人体洗浄装置は、貯湯式と違い、充分温かい温度（最高40℃程度）まで加熱できる洗浄水の流量が制限されているが、加熱された洗浄水は脈動発生装置１７によって脈動を与えられた状態で吐出されるため、少ない流量でも洗浄力とたっぷり感を確保した状態での洗浄が可能となる。本実施の形態では、脈動発生装置１７の上流にアキュームレータ２９を設けており、脈動発生装置１７で発生した圧力の脈動が上流へ伝播するのを防ぎ、熱交換器１４への影響を防止している。
洗浄水を所定の温度まで加熱するためのヒーター４１への通電制御は、冷水サーミスタ２３にて検知される熱交換器１４への入水温度と、温水サーミスタ４３にて検知される加熱された水温を制御器２８に取り込むことによって、フィードフォワード制御とフィードバック制御の組合せにて行われる。
【００１９】
次に、熱交換器１４の詳細構造について図１に基づき説明する。
熱交換器本体４２には、曲がりの無い直線的な直管形状の熱交換流路５９が設けられており、支持部材５６ａ，５６ｂにて、熱交換流路５９と同軸上に棒状のシーズヒーター４１が支持されている。またシーズヒーター４１の軸方向の位置決めは、固定部材５４ａ，５４ｂにて行っている。熱交換流路５９とシーズヒーター４１の気密性は、Ｏリング５３にて保たれており、Ｏリング５３はバックアップリング６０にて位置決めされている。シーズヒーター４１の外形はφ８、熱交換流路５９の内径はφ１３であり、流路のクリアランスは２．５ｍｍとなっている。熱交換流路５９の一端側面には入水口５５が設けられており、ここから加熱するための洗浄水が給水される。給水された洗浄水は熱交換流路５９の上流側、すなわちシーズヒーター４１の発熱部よりも上流側に設けられた整流手段５８によって熱交換流路断面における流速分布を一様にされたうえで、熱交換流路５９内に流れ込む。そして、熱交換流路５９の中を通過する際にシーズヒーター４１により所定の温度まで加熱され、熱交換流路５９の他端側面に設けられた出水口６２から流れ出す。出水口６２の下流側近傍流路内には温水サーミスタ４３が配置されており、シーズヒーター４１への通電コントロールによって洗浄水を所定の温度まで加熱制御（フィードバック制御）するために、出水口６２から流出した洗浄水の温度を検知している。その下流側にはヒーター４１の空焚きを防止するためにフロートスイッチ４４が設けられており、熱交換器内の満水状態を検知している。更にその下流側には、バキュームブレーカー４６と安全弁４８が設置されており、一次側流路が万一負圧になったときの負圧破壊機能と、調圧弁が故障などした際、熱交換器内に過剰な圧力がかかるのを防止する機能を果たしている。そして、加熱された洗浄水は最終的に吐出口５１から下流側の流量調整兼切替弁へと供給される。なお、図１中、符号４５はフロート、４７はバキュームブレーカー４６の弁体、４９，５０は安全弁の弁体およびスプリング、５２は流水の加熱により発生した気泡を小さくする気泡破砕板、６１は捨水配管接続口である。
【００２０】
ここで、整流手段５８の第１実施形態の構造を、図３に示す。
図３（ａ）では、中央にシーズヒーター４１を通す貫通穴７０があり、その周囲に、貫通したシーズヒーター４１によって複数の小穴が構成されるよう、複数の切欠８１が均等に円周配置されている。この小穴が抵抗となり、各小穴を流れる洗浄水は流速に比例した力を受けるため、高い流速成分ほどより大きく減速されるので、整流手段５８通過前の流速分布のばらつきが均一化されていく。また、切欠８１が複数配置された構成をとることによって、高い流速成分の一部が低い流速成分の方へ回り込むので、熱交換流路５９の断面における流速分布のばらつきをバランス良く均一化することができる。本構成によれば簡単な構成によって、流速分布の一様化を図ることが可能となる。
【００２１】
また、熱交換流路５９は直管形状であり、その中心と同軸上にシーズヒーター４１を配置することで、洗浄水流路５９を流れる洗浄水は、整流手段５８にて整えられた流速分布を維持したままで、流線を曲げられることなく等速度でかつシーズヒーター４１から均一に熱を受けながら加熱される。そのため、熱交換流路５９全域にわたり、シーズヒーター４１表面に局所的温度変化を生じさせることなく、洗浄水を均一に加熱することができる。
【００２２】
本構成では、熱交換流路５９の上流側で整流するため、熱交換流路５９全域にわたって整流手段を設ける必要がなく、熱交換流路抵抗を極力少なく構成することが可能となっている。更に、整流手段５８はシーズヒーター４１の非発熱部に設置した場合は、熱による影響を受けないので、耐熱性を必要とする材料選定が不要となる。
【００２３】
なお、第１実施形態の整流手段５８は、前述した構成とは他の構成を取ることができる。例えば、図３（ｂ）に示されるように、整流手段５８’をメッシュ構造９１を複数の絞りとして構成することで、同様な整流効果が期待できる。本構成によると、図３（ａ）での実施の形態に比べて、多数の絞り部が配置されることになるので、よりきめ細かに整流することが可能となる。図３（ａ），（ｂ）の実施の形態では、整流手段５８，５８’を多段構成として採用することにより更なる整流効果が期待できることは言うまでもない。
【００２４】
また、図３（ｃ）に示される目の粗いスポンジのような多孔体を整流手段５８”として用いることも、同じ作用効果をもたらすには有効である。
【００２５】
次に、本発明における整流手段のその他の実施の形態を図４，５，６に示す。なお、前述した実施形態と同じ構成については、同じ符合を付し、その説明を省いている。
【００２６】
図４は整流手段の第２の実施の形態における熱交換流路上流側の模式断面図で、洗浄水は入水口５５より熱交換流路５９へ流入する前に、一度入水口５５や熱交換流路５９の径より大きな圧力室７４へ流入する。入水口５５から流入した洗浄水は、圧力室７４にて急拡大し、流入流速成分を殆ど失う。即ち、圧力室７４への流入流速エネルギーは、一旦圧力エネルギーに変換されてから熱交換流路５９に流れ込むため、入水口５５からの洗浄水流入流速の影響を受けることなく、流れの方向を熱交換流路５９の軸方向へと変換することができ、熱交換流路５９内の流速分布の一様化を図ることができる。
【００２７】
図５（ａ）は整流手段の第３の実施の形態における、熱交換流路の軸方向に対して直交する断面図であり、洗浄水の入水のさせ方を工夫することによっても整流手段としての効果が得られる例を示している。この整流手段は入水口７５を熱交換流路軸心に対して対称的に２つ（７５ａ，７５ｂ）配置したもので、熱交換流路５９に向かって異なる方向に入水口を配置することで流入方向の速度成分を相殺することができるため、熱交換流路５９内の流速分布の一様化を図ることができる。また、この場合入水口７５が多ければ多いほど熱交換流路５９に、よりバランス良く入水させることができる。入水口を多数配置したものと同様な効果を得るためには、図５（ｂ）に示すような構造も効果的である。本構成では、入水口８５のすぐ下流に、熱交換流路５９に直接連通していない予備室８１を設け、更に第２の入水口７９を介して熱交換流路５９へと連通させている。本構成によれば、コンパクトな構成で、熱交換流路５９への入水口を多数設けることが可能となり、熱交換流路断面の流速分布をより一様にすることができる。
【００２８】
ここで、第１から第３の実施の形態における整流手段は複数の手段の組合せとして構成することも可能であり、その場合はより効果的に熱交換流路断面における流速分布の均一化を図れることが言うまでもない。
【００２９】
図６は整流手段の第４の実施の形態における熱交換流路の軸方向に対して直交する断面図である。入水口９５の中心軸を、前記熱交換流路５９およびシーズヒーター４１の中心軸に対して偏心させて配置し入水させることで、シーズヒーター４１の中心軸周りに旋回流を起こしながら、熱交換流路５９内を洗浄水が流れる。そのため特に新たな構成部材を必要とすることなく、熱交換流路断面における流速分布一様化を図ることが可能となる。
【００３０】
本実施の形態においても、入水口を複数設けたり図５（ｂ）の例のように、入水口を２段構成とすることで、更に効果的に流速分布の一様化を図れることは勿論である。
【００３１】
以上のように、本発明によれば、入水口と熱交換流路の間に整流手段を設けて熱交換流路内における洗浄水の流速分布の一様化を図ることにより、シーズヒーターから洗浄水への熱伝達を均一にすることが可能となる。その結果、シーズヒーター表面の局所的温度変化が抑えられ、局所的にヒーター内の発熱線が過熱されてしまったり、熱勾配による発熱線へのストレスが発生してしまい、最終的には発熱線の断線を招いてしまうという問題が解消され、ヒーターの耐久信頼性を向上することができる。また熱交換器から吐出される温水の局所的温度変化も抑制されるため、洗浄水温制御性をより向上させ、温度の均一で安定した温水を提供することが可能となる。
【００３２】
なお、本発明における整流手段の構成は、本発明の主旨を逸脱しない範囲で、シーズヒーター以外のヒーターを用いた瞬間式熱交換器にも適用可能であり、同様な整流効果が得られることは言うまでもない。
【図面の簡単な説明】
【００３３】
【図１】本発明における実施の形態による瞬間式熱交換器の断面図
【図２】本発明における実施の形態による水路図
【図３】本発明における整流手段の第１の実施の形態による構造図
【図４】本発明における整流手段の第２の実施の形態による入水口付近の断面図
【図５】本発明における整流手段の第３の実施の形態による入水口部分の断面図
【図６】本発明における整流手段の第４の実施の形態による入水口部分の断面図
【図７】従来技術における瞬間式熱交換器の断面図
【図８】従来技術における瞬間式熱交換器を用いた温水洗浄装置のブロック図
【符号の説明】
【００３４】
４１            シーズヒーター
５５            入水口
５８            整流手段
５８’          整流手段
５８”          整流手段
５９            熱交換流路
６２            出水口
７４            圧力緩衝手段（圧力室）
７５            入水口（流入流速相殺手段）
８１            切欠（絞り流路）
９５            入水口（旋回流入手段）
【図１】
2005121263.tif 000003
【図２】
2005121263.tif 000004
【図３】
2005121263.tif 000005
【図４】
2005121263.tif 000006
【図５】
2005121263.tif 000007
【図６】
2005121263.tif 000008
【図７】
2005121263.tif 000009
【図８】
2005121263.tif 000010